【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
それぞれ入射された光量に応じた電荷を発生して蓄積する複数の受光素子がマトリクス状に配置された受光部と、上記受光部の各受光素子から読み出された電荷を転送する垂直転送部と、上記垂直転送部を介して転送された電荷を出力する水平転送部とを有し、上記複数の受光素子に蓄積された電荷を外部トリガ信号のタイミングに同期して上記垂直転送部に読み出し、上記垂直転送部に読み出した電荷を上記高速転送期間中に高速垂直転送信号により第１の転送速度で垂直転送し、上記高速転送期間に続く通常転送期間に通常垂直転送信号により上記垂直転送部の電荷を上記第１の転送速度よりも遅い第２の転送速度で垂直転送することにより、上記通常転送期間に上記水平転送部に供給される電荷を有効電荷として上記水平転送部から出力させようにしたインターライントランスファ型固体撮像素子の駆動制御方法であって、
水平同期期間内に水平切出期間を任意に設定し、
第１の水平転送信号と上記第１の水平転送信号よりも高速の第２の水平転送信号を切り替えるとともに、上記第１の水平転送信号に対応する第１の水平同期信号及び第１の水平ブランキング信号と第２の水平転送信号に対応する第２の水平同期信号及び第２の水平ブランキング信号を切り替えて、上記水平切出期間には第１の水平転送信号と該第１の水平転送信号に対応する第１の水平同期信号及び第１の水平ブランキング信号を与え、上記水平切出期間以外の期間には第２の水平転送信号と該第２の水平転送信号に対応する第２の水平同期信号及び第２の水平ブランキング信号を与えて上記インターライントランスファ型固体撮像素子を駆動することにより、
上記通常転送期間に、上記水平転送部に供給される全有効電荷の内、上記水平切出期間以外の期間に対応する有効電荷を上記第２の水平転送信号により高速転送して掃き捨て、上記水平切出期間に対応する有効電荷を上記第１の水平転送信号により通常転送して有効映像信号として上記水平転送部から取り出すこと
を特徴とする撮像素子の駆動制御方法。
【請求項２】
上記インターライントランスファ型固体撮像素子の有効画像領域を水平方向に１０分割し、上記水平切出期間として、各分割領域の連続する３領域以上に対応する期間を上記水平同期期間内に任意に設定することを請求項１記載の撮像素子の駆動制御方法。
【請求項３】
それぞれ入射された光量に応じた電荷を発生して蓄積する複数の受光素子がマトリクス状に配置された受光部と、上記受光部の各受光素子から読み出された電荷を転送する垂直転送部と、上記垂直転送部を介して転送された電荷を出力する水平転送部とを有し、上記複数の受光素子に蓄積された電荷を外部トリガ信号のタイミングに同期して上記垂直転送部に読み出し、上記垂直転送部に読み出した電荷を上記高速転送期間中に高速垂直転送信号により第１の転送速度で垂直転送し、上記高速転送期間に続く通常転送期間に通常垂直転送信号により上記垂直転送部の電荷を上記第１の転送速度よりも遅い第２の転送速度で垂直転送することにより、上記通常転送期間に上記水平転送部に供給される電荷を有効電荷として上記水平転送部から出力させようにしたインターライントランスファ型固体撮像素子を備える撮像装置であって、
水平同期期間内に水平切出期間を任意に設定するパラメータ設定部と、
第１の水平転送信号と上記第１の水平転送信号よりも高速の第２の水平転送信号を生成する水平転送系信号生成部と、
上記水平転送系信号生成部から出力される第１の水平転送信号と上記第１の水平転送信号よりも高速の第２の水平転送信号を上記パラメータ設定部に設定された水平切出期間と該水平切出期間以外の期間で切り替える水平転送系信号切替手段と、
上記第１の水平転送信号に対応する第１の水平同期信号及び第１の水平ブランキング信号と第２の水平転送信号に対応する第２の水平同期信号及び第２の水平ブランキング信号を生成する水平同期系信号生成部と、
上記水平同期系信号生成部から出力される上記第１の水平同期信号及び第１の水平ブランキング信号と第２の水平同期信号及び第２の水平ブランキング信号を上記パラメータ設定部に設定された水平切出期間と該水平切出期間以外の期間で切り替える水平同期系信号切替手段と、
上記水平同期系信号切替手段を介して出力される水平同期信号をカウントして垂直同期信号及び垂直ブランキング信号を生成する垂直同期系信号生成部とを備え、
上記第１の水平転送信号と上記第１の水平転送信号よりも高速の第２の水平転送信号を切り替えるとともに、上記第１の水平転送信号に対応する第１の水平同期信号及び第１の水平ブランキング信号と第２の水平転送信号に対応する第２の水平同期信号及び第２の水平ブランキング信号を切り替えて、上記水平切出期間には第１の水平転送信号と該第１の水平転送信号に対応する第１の水平同期信号及び第１の水平ブランキング信号を与え、上記水平切出期間以外の期間には第２の水平転送信号と該第２の水平転送信号に対応する第２の水平同期信号及び第２の水平ブランキング信号を与えて上記インターライントランスファ型固体撮像素子を駆動することにより、上記通常転送期間に、上記水平転送部に供給される全有効電荷の内、上記水平切出期間以外の期間に対応する有効電荷を上記第２の水平転送信号により高速転送して掃き捨て、上記水平切出期間に対応する有効電荷を上記第１の水平転送信号により通常転送して有効映像信号として上記水平転送部から取り出すように上記インターライントランスファ型固体撮像素子を制御することを特徴とする撮像装置。
【請求項４】
上記パラメータ設定部は、上記インターライントランスファ型固体撮像素子の有効画像領域を水平方向に１０分割し、上記水平切出期間として、各分割領域の連続する３領域以上に対応する期間がシリアルインターフェースを介して上記水平同期期間内に任意に設定されることを特徴とする請求項３記載の撮像装置。
【手続補正２】
【補正対象書類名】明細書
【補正対象項目名】００１０
【補正方法】変更
【補正の内容】
【００１０】
本発明は、それぞれ入射された光量に応じた電荷を発生して蓄積する複数の受光素子がマトリクス状に配置された受光部と、上記受光部の各受光素子から読み出された電荷を転送する垂直転送部と、上記垂直転送部を介して転送された電荷を出力する水平転送部とを有し、上記複数の受光素子に蓄積された電荷を外部トリガ信号のタイミングに同期して上記垂直転送部に読み出し、上記垂直転送部に読み出した電荷を上記高速転送期間中に高速垂直転送信号により第１の転送速度で垂直転送し、上記高速転送期間に続く通常転送期間に通常垂直転送信号により上記垂直転送部の電荷を上記第１の転送速度よりも遅い第２の転送速度で垂直転送することにより、上記通常転送期間に上記水平転送部に供給される電荷を有効電荷として上記水平転送部から出力させようにしたインターライントランスファ型固体撮像素子の駆動制御方法であって、水平同期期間内に水平切出期間を任意に設定し、第１の水平転送信号と上記第１の水平転送信号よりも高速の第２の水平転送信号を切り替えるとともに、上記第１の水平転送信号に対応する第１の水平同期信号及び第１の水平ブランキング信号と第２の水平転送信号に対応する第２の水平同期信号及び第２の水平ブランキング信号を切り替えて、上記水平切出期間には第１の水平転送信号と該第１の水平転送信号に対応する第１の水平同期信号及び第１の水平ブランキング信号を与え、上記水平切出期間以外の期間には第２の水平転送信号と該第２の水平転送信号に対応する第２の水平同期信号及び第２の水平ブランキング信号を与えて上記インターライントランスファ型固体撮像素子を駆動することにより、上記通常転送期間に、上記水平転送部に供給される全有効電荷の内、上記水平切出期間以外の期間に対応する有効電荷を上記第２の水平転送信号により高速転送して掃き捨て、上記水平切出期間に対応する有効電荷を上記第１の水平転送信号により通常転送して有効映像信号として上記水平転送部から取り出すことを特徴とする。
【手続補正３】
【補正対象書類名】明細書
【補正対象項目名】００１１
【補正方法】変更
【補正の内容】
【００１１】
また、本発明は、それぞれ入射された光量に応じた電荷を発生して蓄積する複数の受光素子がマトリクス状に配置された受光部と、上記受光部の各受光素子から読み出された電荷を転送する垂直転送部と、上記垂直転送部を介して転送された電荷を出力する水平転送部とを有し、上記複数の受光素子に蓄積された電荷を外部トリガ信号のタイミングに同期して上記垂直転送部に読み出し、上記垂直転送部に読み出した電荷を上記高速転送期間中に高速垂直転送信号により第１の転送速度で垂直転送し、上記高速転送期間に続く通常転送期間に通常垂直転送信号により上記垂直転送部の電荷を上記第１の転送速度よりも遅い第２の転送速度で垂直転送することにより、上記通常転送期間に上記水平転送部に供給される電荷を有効電荷として上記水平転送部から出力させようにしたインターライントランスファ型固体撮像素子を備える撮像装置であって、水平同期期間内に水平切出期間を任意に設定するパラメータ設定部と、第１の水平転送信号と上記第１の水平転送信号よりも高速の第２の水平転送信号を生成する水平転送系信号生成部と、上記水平転送系信号生成部から出力される第１の水平転送信号と上記第１の水平転送信号よりも高速の第２の水平転送信号を上記パラメータ設定部に設定された水平切出期間と該水平切出期間以外の期間で切り替える水平転送系信号切替手段と、上記第１の水平転送信号に対応する第１の水平同期信号及び第１の水平ブランキング信号と第２の水平転送信号に対応する第２の水平同期信号及び第２の水平ブランキング信号を生成する水平同期系信号生成部と、上記水平同期系信号生成部から出力される上記第１の水平同期信号及び第１の水平ブランキング信号と第２の水平同期信号及び第２の水平ブランキング信号を上記パラメータ設定部に設定された水平切出期間と該水平切出期間以外の期間で切り替える水平同期系信号切替手段と、上記水平同期系信号切替手段を介して出力される水平同期信号をカウントして垂直同期信号及び垂直ブランキング信号を生成する垂直同期系信号生成部とを備え、上記第１の水平転送信号と上記第１の水平転送信号よりも高速の第２の水平転送信号を切り替えるとともに、上記第１の水平転送信号に対応する第１の水平同期信号及び第１の水平ブランキング信号と第２の水平転送信号に対応する第２の水平同期信号及び第２の水平ブランキング信号を切り替えて、上記水平切出期間には第１の水平転送信号と該第１の水平転送信号に対応する第１の水平同期信号及び第１の水平ブランキング信号を与え、上記水平切出期間以外の期間には第２の水平転送信号と該第２の水平転送信号に対応する第２の水平同期信号及び第２の水平ブランキング信号を与えて上記インターライントランスファ型固体撮像素子を駆動することにより、上記通常転送期間に、上記水平転送部に供給される全有効電荷の内、上記水平切出期間以外の期間に対応する有効電荷を上記第２の水平転送信号により高速転送して掃き捨て、上記水平切出期間に対応する有効電荷を上記第１の水平転送信号により通常転送して有効映像信号として上記水平転送部から取り出すように上記インターライントランスファ型固体撮像素子を制御することを特徴とする。
【手続補正４】
【補正対象書類名】明細書
【補正対象項目名】００２４
【補正方法】変更
【補正の内容】
【００２４】
さらに、上記垂直同期系信号生成部１３６は、上記水平同期系信号生成部１３４から上記水平同期系信号切替スイッチ１３５を介して出力される水平同期信号ＨＤをカウントする水平同期カウントブロック１３６Ａと、この水平同期カウントブロック１３６Ａによるカウント出力に基づいて、垂直同期信号ＶＤ及び垂直ブランキング信号ＶＢＬＫを生成する垂直同期系信号生成ブロック１３６Ｂからなる。
【手続補正５】
【補正対象書類名】明細書
【補正対象項目名】００２６
【補正方法】変更
【補正の内容】
【００２６】
そして、上記パラメータ設定部１３１に与えられた高速転送エリアコマンドにより、上記水平転送系信号生成部１３２及び水平同期系信号生成部１３４に対して、エリア設定信号が送られて、どのエリアが高速転送エリアなのかを認識し、その設定に対応した水平転送系信号ＸＨ１／ＸＨ２，水平同期系信号ＨＤ／ＨＢＬＫＧ及び垂直同期系信号ＶＤ／ＶＢＬＫＧの設定を行う。
【手続補正６】
【補正対象書類名】明細書
【補正対象項目名】００２７
【補正方法】変更
【補正の内容】
【００２７】
また、上記パラメータ設定部１３１に与えられた高速転送エリアコマンドにより、上記水平転送系信号切替スイッチ１３３及び水平同期系信号切替スイッチ１３５を制御して、上記第１の水平転送信号と上記第１の水平転送信号よりも高速の第２の水平転送信号を切り替えるとともに、上記第１の水平転送信号に対応する第１の水平同期信号及び第１の水平ブランキング信号と第２の水平転送信号に対応する第２の水平同期信号及び第２の水平ブランキング信号を切り替えて、上記垂直切出期間ＴｗＶには通常速度の第１の水平同期信号に対応する垂直転送信号を上記垂直切出期間ＴｗＶ以外の期間には高速の第２の水平同期信号に対応する垂直転送信号を与えて上記ＣＣＤイメージセンサ１１を駆動することにより、図６に示すような垂直転送系信号ＸＶ１，ＸＶ２，ＸＶ３により垂直転送動作を行い、さらに、上記水平切出期間ＴｗＨには第１の水平転送信号と該第１の水平転送信号に対応する第１の水平同期信号及び第１の水平ブランキング信号を与え、上記水平切出期間ＴｗＨ以外の期間には第２の水平転送信号と該第２の水平転送信号に対応する第２の水平同期信号及び第２の水平ブランキング信号を与えて上記ＣＣＤイメージセンサ１１を駆動することにより、図７に示すような水平転送系信号ＸＨ１，ＸＨ２により水平転送動作を行い、上記通常転送期間に、上記水平転送部ＨＲＥＧに供給される全有効電荷の内、上記水平切出期間ＴｗＨ以外の期間に対応する有効電荷を上記第２の水平転送信号により高速転送して掃き捨て、上記水平切出期間ＴｗＨに対応する有効電荷を上記第１の水平転送信号により通常転送して有効映像信号として上記水平転送部ＨＲＥＧから取り出す。
【手続補正７】
【補正対象書類名】明細書
【補正対象項目名】００３０
【補正方法】変更
【補正の内容】
【００３０】
これにより、この撮像装置１０では、図９に示すように、例えば、水平方向に１０分割した各分割領域の連続する５領域に対応する水平切出期間ＴｗＨを設定し、垂直方向に３２分割した各分割領域の連続する１５領域に対応する垂直切出期間ＴｗＶを設定することによって、上記１２８０×１０２４画素を有効画像領域ＩＡとするＳＸＧＡ対応のＣＣＤイメージセンサ１１から、６４０×４８０画素を有効画像領域とするＶＧＡ対応の画像ＩＣを直接切り出して出力することができ、また、水平方向に１０分割した各分割領域の連続する８領域に対応する水平切出期間ＴｗＨを設定し、垂直方向に３２分割した各分割領域の連続する２４領域に対応する垂直切出期間ＴｗＶを設定することによって、１０２４×７８０画素を有効画像領域とするＸＧＡ対応の画像ＩＢを直接切り出して出力することができる。